(57)【要約】【課題】回転速度調整部をハウジングに配置する自由度を向上させたジグソーを提供する。【解決手段】モータを収容したハウジング２の前方に、モータの駆動で往復動するロッドを下向きに突出させて、ロッドの下端に被切断材を切断する切断刃３を連結し、ハウジングに、モータの回転速度を調整可能な回転速度調整部を配置したジグソー１であって、回転速度調整部を、押圧荷重を検出する荷重センサを有する押圧スイッチ１０で構成して、押圧スイッチの押圧操作により荷重センサで検出された押圧荷重に応じて回転速度を調整可能にした。【選択図】図１
2013193439.tif 000002
【特許請求の範囲】
【請求項１】
モータを収容したハウジングの前方に、前記モータの駆動で往復動するロッドを下向きに突出させて、前記ロッドの下端に被切断材を切断する切断刃を連結し、前記ハウジングに、前記モータの回転速度を調整可能な回転速度調整部を配置したジグソーであって、
前記回転速度調整部を、押圧荷重を検出する荷重センサを有する押圧スイッチで構成して、前記押圧スイッチの押圧操作により前記荷重センサで検出された前記押圧荷重に応じて前記回転速度を調整可能にしたことを特徴とするジグソー。
【請求項２】
前記ハウジングに把持領域を形成し、前記押圧スイッチを前記把持領域に配置したことを特徴とする請求項１に記載のジグソー。
【請求項３】
前記ハウジングの左右の両側面に、前記把持領域を形成し、前記押圧スイッチを、前記両側面の前記把持領域に配置したことを特徴とする請求項２に記載のジグソー。
【請求項４】
前記押圧スイッチの前記押圧操作により、前記回転速度を低下させる調整を可能にしたことを特徴とする請求項１ないし３のいずれかに記載のジグソー。
【請求項５】
前記押圧スイッチの前記押圧操作により、前記回転速度を上昇させる調整を可能にしたことを特徴とする請求項１ないし３のいずれかに記載のジグソー。
【請求項６】
前記ハウジングに、前記荷重センサで検出された前記押圧荷重に比例させた押圧量を表示可能な表示部を配置したことを特徴とする請求項１ないし５のいずれかに記載のジグソー。
【請求項７】
前記押圧スイッチを、前記ハウジングの左右方向における対称位置で前記両側面の前記把持領域に配置したことを特徴とする請求項３ないし６のいずれかに記載のジグソー。
【発明の詳細な説明】
【技術分野】
【０００１】
この発明は、モータを収容したハウジングの前方に、モータの駆動で往復動するロッドを下向きに突出させて、ロッドの下端に被切断材を切断する切断刃を連結し、ハウジングに、モータの回転速度を調整可能な回転速度調整部を配置したジグソーに関する。
【背景技術】
【０００２】
例えば特許文献１には、モータを収容したハウジングの前方に、モータの駆動で往復動するロッドを下向きに突出させて、ロッドの下端に連結した切断刃で、被切断材を切断するジグソーが開示されている。特許文献１のジグソーには、モータの回転速度を上昇あるいは低下可能に調整する調整ダイヤルが設けられており、操作者が調整ダイヤルを操作することで切断刃が往復動する速度を可変して、切断速度を変速しながら被切断材の切断が可能となっている。
【先行技術文献】
【特許文献】
【０００３】
【特許文献１】米国特許第６４６７１７７号明細書
【発明の概要】
【発明が解決しようとする課題】
【０００４】
しかしながら特許文献１に記載のジグソーのように、モータの回転速度を調整する回転速度調整部を調整ダイヤルで構成すると、ハウジング内に、調整ダイヤルを回転可能に収容するための広いスペースを確保する必要がある。ところが、ハウジング内には、モータやロッドの往復動機構等が収容されていることから、ハウジングで前記スペースを確保できる場所が限られていた。その結果、回転速度調整部をハウジングに配置できる位置が制限されるという不都合があった。
【０００５】
この発明は、このような状況に鑑み提案されたものであって、回転速度調整部をハウジングに配置する自由度を向上させたジグソーを提供することを目的とする。
【課題を解決するための手段】
【０００６】
請求項１の発明に係るジグソーは、モータを収容したハウジングの前方に、前記モータの駆動で往復動するロッドを下向きに突出させて、前記ロッドの下端に被切断材を切断する切断刃を連結し、前記ハウジングに、前記モータの回転速度を調整可能な回転速度調整部を配置したジグソーであって、前記回転速度調整部を、押圧荷重を検出する荷重センサを有する押圧スイッチで構成して、前記押圧スイッチの押圧操作により前記荷重センサで検出された前記押圧荷重に応じて前記回転速度を調整可能にしたことを特徴とする。
【０００７】
請求項２の発明は、請求項１において、前記ハウジングに把持領域を形成し、前記押圧スイッチを前記把持領域に配置したことを特徴とする。
【０００８】
請求項３の発明は、請求項２において、前記ハウジングの左右の両側面に、前記把持領域を形成し、前記押圧スイッチを、前記両側面の前記把持領域に配置したことを特徴とする。
【０００９】
請求項４の発明は、請求項１ないし３のいずれかにおいて、前記押圧スイッチの前記押圧操作により、前記回転速度を低下させる調整を可能にしたことを特徴とする。
【００１０】
請求項５の発明は、請求項１ないし３のいずれかにおいて、前記押圧スイッチの前記押圧操作により、前記回転速度を上昇させる調整を可能にしたことを特徴とする。
【００１１】
請求項６の発明は、請求項１ないし５のいずれかにおいて、前記ハウジングに、前記荷重センサで検出された前記押圧荷重に比例させた押圧量を表示可能な表示部を配置したことを特徴とする。
【００１２】
請求項７の発明は、請求項３ないし６のいずれかにおいて、前記押圧スイッチを、前記ハウジングの左右方向における対称位置で前記両側面の前記把持領域に配置したことを特徴とする。
【発明の効果】
【００１３】
請求項１の発明に係るジグソーによれば、回転速度調整部を押圧スイッチで構成すると、この押圧スイッチを、ハウジングにおいて押圧操作時のストローク量を確保できる位置に配置すればよく、ハウジング内に、回転速度調整部を収容するための広いスペースを確保する必要がない。よって、回転速度調整部をハウジングに配置する位置が制限されず、回転速度調整部をハウジングに配置する自由度が向上する。
請求項２の発明によれば、操作者は、把持領域を把持したままの状態で、押圧スイッチの操作が可能になる。したがって、押圧スイッチの操作性を向上させることができる。
請求項３の発明によれば、操作者は、ハウジングの左右の両側面に配置した押圧スイッチの内から、利き手や作業に応じて操作に最適な押圧スイッチを選択できる。よって、被切断材の切断作業の効率を向上させることができる。
請求項４の発明によれば、押圧スイッチの押圧操作を行うだけで、簡単にモータの回転速度を低下させる調整が可能になる。
請求項５の発明によれば、押圧スイッチの押圧操作を行うだけで、簡単にモータの回転速度を上昇させる調整が可能になる。
請求項６の発明によれば、操作者は、表示部に表示された押圧量を確認することで、押圧荷重の大きさを容易に認識できる。したがって操作者は、前記押圧量を確認しながら押圧荷重を調整することで、モータの回転速度を容易に任意の速度に可変できる。
請求項７の発明によれば、操作者は、利き手の違いにかかわらず押圧スイッチを同じように操作できる。したがって、操作者の利き手の違いにかかわらず、被切断材の切断作業を効率良く行うことができる。
【図面の簡単な説明】
【００１４】
【図１】本発明の実施形態１のジグソーの全体斜視図である。
【図２】同ジグソーの左側面図である。
【図３】同ジグソーの右側面図である。
【図４】本発明の実施形態２のジグソーの全体斜視図である。
【図５】本発明の実施形態３のジグソーの全体斜視図である。
【発明を実施するための形態】
【００１５】
＜実施形態１＞
本発明の実施形態１を図１ないし図３を参照しつつ説明する。図示するようにジグソー１は、本体ハウジング２と、ブレード３と、ベース４とを備えている。図２に示すように本体ハウジング２は、前部５を後方側（図２の右側）よりも上方へ突出させた側面視Ｌ字状となるように形成されている。本体ハウジング２の中央部には、駆動源としてのモータＭが収容されて、前部５には往復動機構が収容されている。モータＭの回転は、ギヤを介して往復動機構に伝達される。さらに前部５の内部には、ロッド（図示せず。）が上下動可能に支持されている。前記往復動機構は、モータＭの回転をロッドの上下方向Ｙ（図２及び図３参照。）の往復動へ変換する。ロッドの下端部は本体ハウジング２の外部に位置し、この下端部にはブレード取付部６（図２及び図３参照。）が設けられている。なお本体ハウジング２は本発明のハウジングの一例である。
【００１６】
ブレード３は、直線状の形状を有しブレード取付部６に固定されている。なおブレード３は本発明の切断刃の一例である。ベース４は、前部５の下面に固定されている。このベース４は、被切断材Ｗ（図２及び図３参照。）の上面に当接させるために用いられる。
【００１７】
前部５は、図２及び図３に示すようにモータＭの前方に当たる位置にあり、ジグソー１を操作する際に操作者に把持される。以下に説明する前部５の左側面とは図１中の奥側の前部５の側面を指し、前部５の右側面とは図１中の手前側の前部５の側面を指すものとする。
【００１８】
図１ないし図３に示すように前部５の外面には、該前部５の左右の両側面におけるロッドの延長線上よりも後方側から背面にかけて滑り止め部７が形成されている。この滑り止め部７には、突起８が複数設けられている。これにより、前部５の把持性能が向上し、操作者は前部５を安定して把持できる。
【００１９】
さらに図２及び図３に示すように、前部５の左右の両側面におけるロッドの延長線上に、第１押圧スイッチ９と第２押圧スイッチ１０とが同一線上で上下二段に配置されている。ここでは第１押圧スイッチ９を下段に、第２押圧スイッチ１０を上段にそれぞれ配置した。加えて前部５の左側面の第１押圧スイッチ９と右側面の第１押圧スイッチ９とは、本体ハウジング２の左右方向Ｘ（図１参照。）で対称な位置に配置されている。さらに、前記左側面の第２押圧スイッチ１０と前記右側面の第２押圧スイッチ１０とは、前記左右方向Ｘで対称な位置に配置されている。前部５の右側面に配置された両押圧スイッチ９、１０については、操作者が右手で滑り止め部７を把持した状態で、右手の人差し指で押圧操作可能とされている。また、前部５の左側面に配置された両押圧スイッチ９、１０については、操作者が左手で滑り止め部７を把持した状態で、左手の人差し指で押圧操作可能とされている。なお、前部５の左右の両側面から背面にかけての領域は本発明の把持領域の一例である。
【００２０】
第１押圧スイッチ９は、押圧操作によって所定のストローク量だけ移動可能な押圧片を有している。第１押圧スイッチ９を押圧操作することで、バッテリーからモータＭへ電力を供給するためのスイッチをオン状態又はオフ状態に切替可能である。一方第２押圧スイッチ１０は、前記押圧片と、該第２押圧スイッチ１０に加わる押圧荷重を検出する荷重センサとを有している。第２押圧スイッチ１０を押圧操作することで、この押圧操作中に荷重センサで検出された押圧荷重に応じてモータＭへの供給電力を変化させる。本実施形態では、押圧荷重が大きくなるに従って前記供給電力を減少させるようにしたことから、第２押圧スイッチ１０の押圧操作により、モータＭの回転速度を低下させる調整が可能である。なお、第２押圧スイッチ１０は本発明の回転速度調整部及び押圧スイッチの一例である。
【００２１】
図１ないし図３に示すように本体ハウジング２の前部５の上端部には、荷重センサで検出された押圧荷重に比例させた押圧量を表示可能な発光ダイオード（ＬＥＤ）ユニット１５が設けられている。このＬＥＤユニット１５は、前部５の上端面に開口する凹部に収容されている。そしてＬＥＤユニット１５には、ＬＥＤ１６が５つ備えられている。本実施形態では、押圧荷重が増加するに従ってＬＥＤ１６の発光個数を減少させることで、押圧量を５段階に分けて目視可能としている。なお、ＬＥＤユニット１５は本発明の表示部の一例である。
【００２２】
次に本実施形態のジグソー１の動作を説明する。ここでは、操作者が右手で滑り止め部７を把持してジグソー１を操作する例を説明する。操作者が、ベース４を被切断材Ｗの上面に当接させて、滑り止め部７を把持した状態で右手の人差し指で前部５の右側面の第１押圧スイッチ９を一度押圧操作する。すると、モータＭへ電力を供給するためのスイッチがオン状態になってモータＭが駆動される。これに伴って往復動機構が動作すると、前記ロッドと共にブレード３が上下方向Ｙに往復動して被切断材Ｗを切断する。本実施形態では、第１押圧スイッチ９を一度押圧操作すると、モータＭの回転速度は最速の状態になる。これにより、被切断材Ｗを切断する速度が最速の状態になる。被切断材Ｗの切断作業中に、例えば複雑な形状の切断作業を行うために切断速度を減速させたい場合には、操作者は、滑り止め部７を把持したままの状態で、右手の人差し指で前記右側面の第２押圧スイッチ１０を押圧する操作を継続する。これにより、モータＭへの供給電力が減少してモータＭの回転速度は低下する。その結果、ブレード３が往復動する速度が減速することで切断速度が減速する。
【００２３】
本実施形態では操作者は、第２押圧スイッチ１０の押圧操作の継続中に、ＬＥＤ１６の発光個数に応じて、第２押圧スイッチ１０に加えられている押圧荷重を目視で確認できる。そこで操作者は、ＬＥＤ１６を目視で確認しながらＬＥＤ１６の発光個数が１つになるように押圧荷重を調整することで、モータＭへの供給電力を最大限減少させることができる。これにより、モータＭの回転速度を最大限低下させることが可能になって、切断速度も最大限減速する。一方、第２押圧スイッチ１０の押圧操作を中止すれば、すべてのＬＥＤ１６が発光し、前記供給電力が最大の状態に復帰する。これにより、前記回転速度が最速の状態に復帰し、切断速度も最速の状態に復帰する。このように操作者は、ＬＥＤ１６の発光個数を確認しながら押圧荷重を調整することで、モータＭの回転速度を任意の速度に可変して切断速度を任意の速度に調整できる。
【００２４】
また、操作者が右手で滑り止め部７を把持したままで、前部５の上端面を下方、ブレード４を上方にそれぞれ位置させたジグソー１の逆さ状態で、ブレード３を上下方向Ｙに往復動させて被切断材Ｗを切断する場合にも、操作者は、滑り止め部７を把持したままの状態で、右手の親指で前部５の左側面の第２押圧スイッチ１０を押圧する操作が可能となる。したがって操作者は、ジグソー１を通常の姿勢から逆さ状態にした場合でも、モータＭの回転速度を低下させる操作を容易に行うことができる。
【００２５】
これらに対し、操作者が左手で滑り止め部７を把持してジグソー１を操作する場合にも、操作者は、滑り止め部７を把持したままの状態で、左手の人差し指で前部５の左側面の第２押圧スイッチ１０を押圧する操作を継続できる。これに加えて、操作者が左手で滑り止め部７を把持したままでジグソー１を通常の姿勢から逆さ状態にした場合でも、操作者は、左手の親指で前部５の右側面の第２押圧スイッチ１０を押圧する操作が可能となる。さらに本実施形態では、前部５の左側面の第１押圧スイッチ９と右側面の第１押圧スイッチ９とを、本体ハウジング２の左右方向Ｘで対称な位置に配置し、前記左側面の第２押圧スイッチ１０と前記右側面の第２押圧スイッチ１０とを、前記左右方向Ｘで対称な位置に配置した。このため操作者は、左右のどちらの手で滑り止め部７を把持する場合にも、左側面の各押圧スイッチ９、１０と右側面の各押圧スイッチ９、１０とを同じように操作することが可能になる。
【００２６】
＜本実施形態１の効果＞
本実施形態のジグソー１では、第２押圧スイッチ１０によってモータＭの回転速度を調整可能にして、この第２押圧スイッチ１０を、押圧操作時のストローク量を確保できる本体ハウジング２の前部５の側面に配置するだけでよい。よって、例えば回転速度調整部としての調整ダイヤルを本体ハウジング２に広いスペースを確保して収容する場合とは異なり、第２押圧スイッチ１０を、本体ハウジング２内に広いスペースを確保して収容する必要がない。したがって、第２押圧スイッチ１０を本体ハウジング２に配置する位置が制限されず、第２押圧スイッチ１０を本体ハウジング２に配置する自由度が向上する。
【００２７】
また操作者は、本体ハウジング２の滑り止め部７を把持したままの状態で、第２押圧スッチ１０の押圧操作が可能になる。したがって、第２押圧スイッチ１０の操作性を向上させることができる。
【００２８】
さらに操作者は、前部５の左右の両側面に配置した各第２押圧スイッチ１０の内から、利き手に応じて操作に最適な第２押圧スイッチ１０を選択できる。これに加えて、ジグソー１を通常の姿勢から逆さ状態にして被切断材Ｗの切断作業を行う場合には、操作者は、ジグソー１を持ち替えることなく、通常の姿勢で用いる一方の側面の第２押圧スイッチ１０とは異なる他方の側面の第２押圧スイッチ１０を選択して切断作業を継続できる。したがって、前記切断作業の効率を向上させることができる。
【００２９】
加えて、第２押圧スイッチ１０の押圧操作を行うだけで、簡単にモータＭの回転速度を低下させる調整が可能になる。
【００３０】
さらに加えて操作者は、ＬＥＤユニット１５に備えられたＬＥＤ１６の発光個数を確認することで、第２押圧スイッチ１０に加えている押圧荷重の大きさを目視で容易に認識できる。したがって操作者は、前記発光個数を確認しながら第２押圧スイッチ１０に加える押圧荷重を調整することで、モータＭの回転速度を容易に任意の速度に可変できる。
【００３１】
また、前部５の左側面の第２押圧スイッチ１０と右側面の第２押圧スイッチ１０とを、本体ハウジング２の左右方向Ｘで対称な位置に配置したことから操作者は、利き手の違いにかかわらず、左側面の第２押圧スイッチ１０と右側面の第２押圧スイッチ１０とを同じように操作できる。したがって、操作者の利き手の違いにかかわらず、被切断材Ｗの切断作業を効率良く行うことができる。
【００３２】
＜実施形態２＞
本発明の実施形態２を図４を参照しつつ説明する。ここでは実施形態１と同一の構成は同一の符号を付しその説明を省略する。本実施形態のジグソ−１Ａは、本体ハウジング２Ａの前部５と後端（図４の右側）との間に延設されたハンドル２０を備えている。図４に示すようにハンドル２０は、前記後端と一体とされて該後端から上方へ延びた後に前部５に向けて緩やかに上り傾斜して該前部５の背面と一体にされている。ハンドル２０には、電源コード２１と接続された交流電源からモータＭへ電力を供給する状態と供給しない状態とに切替可能なトリガ２２を有するスイッチが収容されている。さらに前部５の上面にも第２押圧スイッチ１０Ａが配置されている。
【００３３】
次に本実施形態のジグソー１Ａの動作を説明する。操作者がハンドル２０を握りながらトリガ２２をハンドル２０内に押し込むと、モータＭの回転速度が最速の状態になる。この状態で操作者が、ハンドル２０を握ったまま親指で第２押圧スイッチ１０Ａを押圧する操作を継続すると、前記回転速度を低下させることができる。そして、実施形態１と同様に、第２押圧スイッチ１０Ａの押圧操作の継続中には、ＬＥＤ１６の発光個数に応じて、第２押圧スイッチ１０Ａに加えられている押圧荷重を目視で確認できる。
【００３４】
＜実施形態２の効果＞
本実施形態のジグソー１Ａでは、第２押圧スイッチ１０に加えて第２押圧スイッチ１０Ａによっても、モータＭの回転速度を調整可能にして、第２押圧スイッチ１０Ａを、押圧操作時のストローク量を確保できる前部５の上面に配置するだけでよい。したがって、第２押圧スイッチ１０に加えて第２押圧スイッチ１０Ａを本体ハウジング２に配置する位置も制限されず、複数の第２押圧スイッチ１０、１０Ａを本体ハウジング２に配置する自由度が向上する。
【００３５】
＜実施形態３＞
本発明の実施形態３を図５を参照しつつ説明する。ここでは実施形態１及び２と同一の構成は同一の符号を付しその説明を省略する。本実施形態のジグソー１Ｂでは、前部５の上面からハンドル２０の上面前方側に亘って、第１押圧スイッチ９Ａと第２押圧スイッチ１０Ａとがジグソー１Ｂの前後方向で同一線上に配置されている。
【００３６】
次に本実施形態のジグソー１Ｂの動作を説明する。操作者がハンドル２０を握りながら親指で第１押圧スイッチ９Ａを一度押圧操作すると、モータＭの回転速度は最速の状態になる。この状態で操作者が、ハンドル２０を握ったまま親指で第２押圧スイッチ１０Ａを押圧する操作を継続すると、前記回転速度を低下させることができる。本実施形態でも、実施形態１及び２と同様に、ＬＥＤ１６の発光個数に応じて、第２押圧スイッチ１０Ａに加えられた押圧荷重を目視で確認できる。
【００３７】
＜実施形態３の効果＞
本実施形態のジグソー１Ｂでは、第１押圧スイッチ９に加えて第１押圧スイッチ９Ａによっても、モータＭへ電力を供給する状態と供給しない状態とに切替可能となる。よって操作者は、両第１押圧スイッチ９、９Ａの内から作業に応じて操作がし易い第１押圧スイッチを選択できる。
【００３８】
本発明は、上述した実施形態に限定されるものではなく、発明の趣旨を逸脱しない範囲内において構成の一部を適宜変更して実施できる。例えば上述した実施形態１とは異なり、前部５の左右の両側面におけるロッドの延長線上よりも前方位置に、第１押圧スイッチ９と第２押圧スイッチ１０とを上下二段に配置してもよい。また上述した実施形態１とは異なり、前部５の左側面の第１押圧スイッチ９と右側面の第１押圧スイッチ９とを本体ハウジング２の左右方向Ｘで非対称な位置に配置したり、前記左側面の第２押圧スイッチ１０と前記右側面の第２押圧スイッチ１０とを前記左右方向Ｘで非対称な位置に配置してもよい。
【００３９】
さらに上述した実施形態１では、第１押圧スイッチ９を一度押圧操作してモータＭの回転速度が最速のときに、第２押圧スイッチ１０を押圧操作することで、モータＭの回転速度を低下させる調整を可能にしたが、これに限らない。例えば、第１押圧スイッチ９を一度押圧操作すると、モータＭの回転速度が最低速状態になるようにして、この状態から第２押圧スイッチ１０の押圧操作によって、モータＭへの供給電力を増加させるようにすることで、前記回転速度を上昇させる調整を可能にしてもよい。このようにすれば、第２押圧スイッチ１０の押圧操作を行うだけで、簡単にモータＭの回転速度を上昇させる調整が可能になる。加えて上述した実施形態１とは異なり、前部５の左側面又は右側面のいずれか一方に、両押圧スイッチ９、１０を配置するようにしてもよい。この場合には、前部５の左側面から背面にかけての領域又は前部５の右側面から背面にかけての領域のいずれか一方に、滑り止め部７を形成してもよい。なお、前記いずれか一方の領域は本発明の把持領域の一例である。
【００４０】
さらに加えて上述した実施形態１ないし３では、ＬＥＤ１６の発光個数に応じて、荷重センサで検出された押圧荷重に比例させた押圧量を５段階に分けて目視可能としたが、これとは異なりＬＥＤユニット１５に配置した４つ以下のＬＥＤ１６を発光させることで、押圧量を４段階以下に分けて目視可能にしてもよい。また、ＬＥＤ１６の発光個数に応じて押圧量を目視可能にすることに限らず、押圧量を数字で表示することで目視可能にしたり、押圧量を表示する目盛板を設けて、指針を目盛板に沿って実際の押圧量に対応する位置に移動させることで、該押圧量を目視可能にしてもよい。
【００４１】
さらに上述した実施形態２及び３とは異なり、前部５の左右の側面から背面にかけて、実施形態１と同様の滑り止め部を形成した上で、該左右の両側面の少なくとも一方に、荷重センサを有する第２押圧スイッチ１０を配置してもよい。
【符号の説明】
【００４２】
１、１Ａ、１Ｂ・・ジグソー、２、２Ａ・・本体ハウジング、３・・ブレード、７・・滑り止め部、１０、１０Ａ・・第２押圧スイッチ、１５・・ＬＥＤユニット、Ｍ・・モータ、Ｗ・・被切断材、Ｘ・・本体ハウジングの左右方向。
【図１】
2013193439.tif 000003
【図２】
2013193439.tif 000004
【図３】
2013193439.tif 000005
【図４】
2013193439.tif 000006
【図５】
2013193439.tif 000007